(57)【要約】【課題】通常モードとＨＡＣモードとにおいて、それぞれ最適化された通信品質を実現可能な携帯通信端末装置を提供する。【解決手段】開示される携帯通信端末装置は、動作モードに応じて送信出力電力を変更可能な携帯通信端末装置において、ユーザーインターフェース部８を介する使用者の操作に応じて制御部７が無線送受信部２に対して出力する無線部制御信号９によって、通常モード選択時は、最大送信出力電力を通常の使用状態の最大送信出力電力値に制御し、ＨＡＣモード選択時は、最大送信出力電力を聴覚障害者用補聴器に対する干渉がＨＡＣ規格を満足する限度の最大送信出力電力値に制御するように構成されている【選択図】図１
2008079187.tif 000002
【特許請求の範囲】
【請求項１】
動作モードに応じて送信出力電力を変更可能な携帯通信端末装置であって、通常モード選択時は、最大送信出力電力を通常の使用状態の最大送信出力電力値に制御し、ＨＡＣモード選択時は、最大送信出力電力を聴覚障害者用補聴器に対する干渉がＨＡＣ規格を満足する限度の最大送信出力電力値に制御するように構成されていることを特徴とする携帯通信端末装置。
【請求項２】
前記通常モード時の最大送信出力電力が、パワークラス４の端末規格で定められた標準値で３３ｄＢｍ以下の送信放射電力に対応するものであり、前記ＨＡＣモード時の最大送信出力電力が、パワークラス５の端末規格で定められた標準値で２９ｄＢｍ以下の送信放射電力に対応するものであることを特徴とする請求項１記載の携帯通信端末装置。
【請求項３】
前記通常モードまたはＨＡＣモードの選択状態を、モード選択画面上において表示するように構成されていることを特徴とする請求項１または２記載の携帯通信端末装置。
【請求項４】
前記モード選択画面上におけるいずれかのモードの選択が、ユーザーインターフェース部を介する使用者の操作に応じて行われるものであることを特徴とする請求項３記載の携帯通信端末装置。
【請求項５】
前記携帯通信端末装置が通常モードまたはＨＡＣモードの選択に応じて対応するパワークラスの情報を基地局に通知するとともに、無線送受信部において指定されているパワークラスに対応する最大送信出力電力リミット値を設定するように構成されていることを特徴とする請求項１乃至４のいずれか一記載の携帯通信端末装置。
【請求項６】
前記無線送受信部における最大送信出力電力リミット値の設定が、ユーザーインターフェース部を介する使用者の操作に応じて制御部が前記無線送受信部に対して出力する無線部制御信号によって行われるように構成されていることを特徴とする請求項５記載の携帯通信端末装置。
【請求項７】
動作モードに応じて送信出力電力を変更可能な携帯通信端末装置において、通常モード選択時は、最大送信出力電力を通常の使用状態の最大送信出力電力値に制御し、ＨＡＣモード選択時は、最大送信出力電力を聴覚障害者用補聴器に対する干渉がＨＡＣ規格を満足する限度の最大送信出力電力値に制御することを特徴とする携帯通信端末装置の制御方法。
【請求項８】
前記通常モード時の最大送信出力電力を、パワークラス４の端末規格で定められた標準値で３３ｄＢｍ以下の送信放射電力に対応するものとし、前記ＨＡＣモード時の最大送信出力電力を、パワークラス５の端末規格で定められた標準値で２９ｄＢｍ以下の送信放射電力に対応するものとすることを特徴とする請求項７記載の携帯通信端末装置の制御方法。
【請求項９】
前記通常モードまたはＨＡＣモードの選択状態を、モード選択画面上において表示することを特徴とする請求項７または８記載の携帯通信端末装置の制御方法。
【請求項１０】
前記モード選択画面上におけるいずれかのモードの選択が、ユーザーインターフェース部を介する使用者の操作に応じて行われることを特徴とする請求項９記載の携帯通信端末装置の制御方法。
【請求項１１】
前記携帯通信端末装置が通常モードまたはＨＡＣモードの選択に応じて対応するパワークラスの情報を基地局に通知するとともに、無線送受信部において指定されているパワークラスに対応する最大送信出力電力リミット値を設定することを特徴とする請求項７乃至１０のいずれか一記載の携帯通信端末装置の制御方法。
【請求項１２】
前記無線送受信部における最大送信出力電力リミット値の設定を、ユーザーインターフェース部を介する使用者の操作に応じて制御部が前記無線送受信部に対して出力する無線部制御信号によって行うことを特徴とする請求項１１記載の携帯通信端末装置の制御方法。
【発明の詳細な説明】
【技術分野】
【０００１】
この発明は、使用者の選択に応じて、聴覚障害者用補聴器への干渉防止モードに設定を変更することが可能な機能を有する携帯通信端末装置および携帯通信端末装置の制御方法に関する。
【背景技術】
【０００２】
携帯通信端末装置の使用時には、携帯通信端末装置が送信する電波に基づいて、使用者が装着している聴覚障害者用補聴器に対して干渉が発生することがある。
このような場合、使用者の選択に応じて、携帯通信端末装置からの電波の放射状態を変化させることによって、聴覚障害者用補聴器に対する携帯通信端末装置からの干渉を防止可能なモードに切り替えることができるようにすることが望ましいが、従来の携帯通信端末装置では、このような機能は具備されていなかった。
【０００３】
図５は、従来の携帯通信端末装置の構成例を示したものであって、アンテナ１と、無線送受信部２Ａと、音声・制御データ変復調部３と、音声処理部４と、マイクロフォン５と、スピーカー６と、制御部７Ａと、ユーザーインターフェース部８Ａとから概略構成されている。
【０００４】
アンテナ１は、図示されない基地局との間で、送信高周波信号に基づいて電波による信号の送出を行い、電波による信号の受信に基づいて受信高周波信号を誘起する。無線送受信部２Ａは、送信高周波信号を生成してアンテナ１に送出し、アンテナ１から受信高周波信号を受け取る。音声・制御データ変復調部３は、無線送受信部２Ａから受け取った受信高周波信号を復調して、音声データを音声処理部４に出力し、制御データを制御部７Ａに出力するとともに、音声処理部４からの音声データと制御部７Ａからの制御データによって搬送波を変調して送信高周波信号を生成して無線送受信部２Ａに出力する。
【０００５】
音声処理部４は、マイクロフォン５から入力された音声信号を処理して音声データを生成して音声・制御データ変復調部３に出力し、音声・制御データ変復調部３から入力された音声データを処理して音声信号を再生してスピーカー６に供給する。マイクロフォン５は、使用者の音声を音声信号に変換して音声処理部４に入力する。スピーカー６は、音声処理部４からの音声信号を音声に変換して使用者に伝達する。制御部７Ａは、通話時におけるユーザーインターフェース部８Ａからの使用者の操作情報に応じて無線部制御信号９Ａを生成して無線送受信部２Ａを制御して、送信高周波信号の送信と受信高周波信号の受信の制御を行わせる。ユーザーインターフェース部８Ａは、使用者の操作に応じて、携帯通信端末装置を制御する上で必要な各種操作情報を生成して制御部７Ａに入力する。
【０００６】
従来の携帯通信端末装置では、図５に示されるように、使用者による受信音声の聴取は一般にスピーカー６を介して行われるが、これ以外にも、イヤホンやヘッドフォン（Bluetooth Headphone を含む）等を用いて聴取することも可能である。
また、携帯通信端末装置の送信放射電力は、基地局からの指示に基づいて常時、変化するように制御を受けている。
ここで、送信放射電力は、携帯通信端末装置から送出される電波によって目的物の位置において誘起される高周波電界強度を規定する高周波電力レベルである。
【０００７】
ところで、聴覚障害者が携帯通信端末装置を使用する場合には、携帯通信端末装置からの出力音声を、直接、スピーカー６から聴取することが困難なため、スピーカー６からの出力音声を、補聴器を介して増幅して聴取することが多い。
このような場合、携帯通信端末装置のアンテナから放射される送信無線信号によって、聴覚障害者が使用している補聴器に干渉を生じるため、補聴器からの音声聴取が困難になるという問題がある。
【０００８】
これに対して、北米においては、聴覚障害者用補聴器に対する携帯通信端末装置からの送信無線信号による干渉を軽減するために、携帯通信端末装置の性能、特にその送信放射電力を制限する各種の規制が、ＨＡＣ（Hearing Aid Compatibility ）規格として法制化されている。
ＨＡＣ規格に応じて送信放射電力の最大値を規制することによって、聴覚障害者用補聴器の位置における、携帯通信端末装置からの送信無線信号に基づく高周波電界強度を制限することができ、これによって聴覚障害者用補聴器に対する携帯通信端末装置からの送信無線信号による干渉を軽減することができる。
【０００９】
従来の携帯通信端末装置では、自装置の送信無線信号に基づく、聴覚障害者用補聴器に対する干渉を軽減する上で、いくつかの課題があった。
すなわち、従来の携帯通信端末装置では、送信放射電力の最大値を制御する手段を備えていないため、ＧＳＭ（ Global System for Mobile communications）携帯電話機（８５０／９００ＭＨｚ）のパワークラス４（最大送信放射電力３３ｄＢｍ )等においては、最大送信出力電力が２Ｗというように大きいため、無線送受信部において最大放射電力が得られるように最適化した場合には、聴覚障害者用補聴器に対する干渉を軽減することが困難になるという問題があった。
一方、ＨＡＣ規格に適合するように、同一モデルの全端末の最大送信放射電力を低下させるものとすれば、ＨＡＣ規格を必要としない使用者の場合、通常の使用状態で最大送信放射電力を必要とする特定の使用環境下では、十分な通話品質を確保することができなくなる恐れがあった。
【００１０】
これに対して、特許文献１においては、無線通信装置を音声通信端末として使用するか、またはデータ通信端末装置として使用するかの使用形態に応じて、それぞれの場合に適切な効率となるように送信出力電力を増減することによって、使用者の使用形態にかかわらず省電力化や信号の低歪み化を可能にするとともに、常に通信状態を良好に保つことができるようにした、無線通信装置の送信電力制御装置とその送信電力制御方法が開示されている。
【特許文献１】特開２００１−２９２０６７号公報（図１，〔００２０〕〜〔００２２〕）
【発明の開示】
【発明が解決しようとする課題】
【００１１】
従来の携帯通信端末装置では、送信放射電力を制御する手段を有しないため、大出力の機種ではＨＡＣ規格を満たすことができない場合があるとともに、ＨＡＣ規格に適合するように最大送信放射電力の規格を常時低下させるようにした場合は、大出力電力を必要とするような使用環境下では、十分な通話品質を確保することができないという問題があった。
【００１２】
この発明は上述の事情に鑑みてなされたものであって、送信出力電力を制御可能にすることによって、通常モードでは通常の使用状態で最大の送信放射電力で使用することができるとともに、ＨＡＣモードでは送信放射電力がＨＡＣ規格を満足するようにして、アンテナから送出される無線信号によって、補聴器による聴覚障害者の受信音声聴取を妨げることがないようにした、携帯通信端末装置および携帯通信端末装置の制御方法を提供することを目的としている。
【課題を解決するための手段】
【００１３】
上記課題を解決するため、請求項１記載の発明は携帯通信端末装置に係り、動作モードに応じて送信出力電力を変更可能な携帯通信端末装置であって、通常モード選択時は、最大送信出力電力を通常の使用状態の最大送信出力電力値に制御し、ＨＡＣモード選択時は、最大送信出力電力を聴覚障害者用補聴器に対する干渉がＨＡＣ規格を満足する限度の最大送信出力電力値に制御するように構成されていることを特徴としている。
【００１４】
また、請求項２記載の発明は、請求項１記載の携帯通信端末装置に係り、上記通常モード時の最大送信出力電力が、パワークラス４の端末規格で定められた標準値で３３ｄＢｍ以下の送信放射電力に対応するものであり、上記ＨＡＣモード時の最大送信出力電力が、パワークラス５の端末規格で定められた標準値で２９ｄＢｍ以下の送信放射電力に対応するものであることを特徴としている。
【００１５】
また、請求項３記載の発明は、請求項１または２記載の携帯通信端末装置に係り、上記通常モードまたはＨＡＣモードの選択状態を、モード選択画面上において表示するように構成されていることを特徴としている。
【００１６】
また、請求項４記載の発明は、請求項３記載の携帯通信端末装置に係り、上記モード選択画面上におけるいずれかのモードの選択が、ユーザーインターフェース部を介する使用者の操作に応じて行われるものであることを特徴としている。
【００１７】
また、請求項５記載の発明は、請求項１乃至４のいずれか一記載の携帯通信端末装置に係り、上記携帯通信端末装置が通常モードまたはＨＡＣモードの選択に応じて対応するパワークラスの情報を基地局に通知するとともに、無線送受信部において指定されているパワークラスに対応する最大送信出力電力リミット値を設定するように構成されていることを特徴としている。
【００１８】
また、請求項６記載の発明は、請求項５記載の携帯通信端末装置に係り、上記無線送受信部における最大送信出力電力リミット値の設定が、ユーザーインターフェース部を介する使用者の操作に応じて制御部が上記無線送受信部に対して出力する無線部制御信号によって行われるように構成されていることを特徴としている。
【００１９】
また、請求項７記載の発明は携帯通信端末装置の制御方法に係り、動作モードに応じて送信出力電力を変更可能な携帯通信端末装置において、通常モード選択時は、最大送信出力電力を通常の使用状態の最大送信出力電力値に制御し、ＨＡＣモード選択時は、最大送信出力電力を聴覚障害者用補聴器に対する干渉がＨＡＣ規格を満足する限度の最大送信出力電力値に制御することを特徴としている。
【００２０】
また、請求項８記載の発明は、請求項７記載の携帯通信端末装置の制御方法に係り、上記通常モード時の最大送信出力電力を、パワークラス４の端末規格で定められた標準値で３３ｄＢｍ以下の送信放射電力に対応するものとし、上記ＨＡＣモード時の最大送信出力電力を、パワークラス５の端末規格で定められた標準値で２９ｄＢｍ以下の送信放射電力に対応するものとすることを特徴としている。
【００２１】
また、請求項９記載の発明は、請求項７または８記載の携帯通信端末装置の制御方法に係り、上記通常モードまたはＨＡＣモードの選択状態を、モード選択画面上において表示することを特徴としている。
【００２２】
また、請求項１０記載の発明は、請求項９記載の携帯通信端末装置の制御方法に係り、上記モード選択画面上におけるいずれかのモードの選択が、ユーザーインターフェース部を介する使用者の操作に応じて行われることを特徴としている。
【００２３】
また、請求項１１記載の発明は、請求項７乃至１０のいずれか一記載の携帯通信端末装置の制御方法に係り、上記携帯通信端末装置が通常モードまたはＨＡＣモードの選択に応じて対応するパワークラスの情報を基地局に通知するとともに、無線送受信部において指定されているパワークラスに対応する最大送信出力電力リミット値を設定することを特徴としている。
【００２４】
また、請求項１２記載の発明は、請求項１１記載の携帯通信端末装置の制御方法に係り、上記無線送受信部における最大送信出力電力リミット値の設定を、ユーザーインターフェース部を介する使用者の操作に応じて制御部が上記無線送受信部に対して出力する無線部制御信号によって行うことを特徴としている。
【発明の効果】
【００２５】
本発明の携帯通信端末装置および携帯通信端末装置の制御方法では、送信出力電力を制御可能にすることによって、通常モードでは通常の使用状態で最大の送信放射電力で使用して通信能力を向上させることができるとともに、ＨＡＣモードでは送信放射電力がＨＡＣ規格を満足するようにして、アンテナから送出される無線信号によって、補聴器による聴覚障害者の受信音声聴取を妨げることがないようにすることができる。
【発明を実施するための最良の形態】
【００２６】
動作モードに応じて送信出力電力を変更可能な携帯通信端末装置において、通常モード選択時は、最大送信出力電力を通常の使用状態の最大送信出力電力値に制御し、ＨＡＣモード選択時は、最大送信出力電力を聴覚障害者用補聴器に対する干渉がＨＡＣ規格を満足する限度の最大送信出力電力値に制御する。
【実施例１】
【００２７】
図１は、本発明の一実施例である携帯通信端末装置の回路構成を示すブロック図、図２は、本実施例の携帯通信端末装置の動作を示すフローチャート、図３は、本実施例の場合の通常モード時における放射電界分布を示す図、図４は、本実施例の場合のＨＡＣモード時における放射電界分布を示す図である。
【００２８】
この例の携帯通信端末装置は、図１に示すように、アンテナ１と、無線送受信部２と、音声・制御データ変復調部３と、音声処理部４と、マイクロフォン５と、スピーカー６と、制御部７と、ユーザーインターフェース部８とから概略構成されている。これらのうち、アンテナ１，音声・制御データ変復調部３，音声処理部４，マイクロフォン５，スピーカー６の機能，動作は、図５に示された従来技術の場合と同様である。
【００２９】
ユーザーインターフェース部８は、使用者が各種設定を行うことが可能な入出力手段を有し、図５に示された従来のユーザーインターフェース部８Ａの有する機能以外に、使用者の操作に応じて、携帯通信端末装置が通常の使用状態に対応する通常モードの場合と、ＨＡＣ規格を満足するＨＡＣモードの場合とのいずれかの動作モードを選択することを可能にする機能を有している。制御部７は、通話時におけるユーザーインターフェース部８からの使用者の操作情報に応じて無線部制御信号９を生成して無線送受信部２を制御することによって、無線送受信部２における送信無線信号と受信無線信号との処理を行わせるとともに、ユーザーインターフェース部８における通常モードとＨＡＣモードとの設定選択に応じて、無線送受信部２の最大送信放射電力レベルを通常モードの場合とＨＡＣモードの場合とに制御する。無線送受信部２は、無線部制御信号９に応じて、通常モードの場合は、通常の使用状態の最大送信放射電力で動作するとともに、ＨＡＣモードの場合は、所定の低減された最大送信放射電力で動作する。
【００３０】
以下、図２に示されたフローチャートに従って、この例の携帯通信端末装置における通常モードとＨＡＣモードとの切り替え時の動作を説明する。
図２において (a)は通常モードとＨＡＣモードとの切り替えの制御を示し、 (b)はモード別パワークラス通知処理の内容を具体的に示したものである。
【００３１】
図２(a) に示すように、使用者が携帯通信端末装置に表示された画面上で所要の設定を行うことができるユーザー設定画面状態とする（ステップＳ１１）。この状態で使用者が、ユーザーインターフェース部８における操作を介して、モード選択画面（不図示）を表示させる（ステップＳ１２）。モード選択画面上において通常モードとＨＡＣモードとのいずれかが選択されると、制御部７から選択されたモードの情報に応じた無線部制御信号９が無線送受信部２に出力される。
【００３２】
選択されたモードがＨＡＣモードであったとき（ステップＳ１３）は、無線部制御信号９に応じて、無線送受信部２が最大送信出力をＨＡＣモードの設定値に変更し（ステップＳ１４）、基地局に対するモード別パワークラス通知処理を行った（ステップＳ１６）後、待機モードに遷移する（ステップＳ１７）。
また、選択されたモードがＨＡＣモードでないときは、無線部制御信号９に応じて、無線送受信部２が最大送信出力を通常モードの設定値に変更し（ステップＳ１５）、基地局に対するモード別パワークラス通知処理を行った（ステップＳ１６）後、待機モードに遷移する（ステップＳ１７）。
【００３３】
次に図２(b) に示すように、モード別パワークラス通知処理が実行される（ステップＳ２１）。図２(a) の処理でＨＡＣモードが選択されていた場合は、モード別パワークラス値としてパワークラス５がセットされ（ステップＳ２２）、この情報が無線送受信部２を経て基地局（不図示）に送信される（ステップＳ２３）とともに、無線送受信部２においてパワークラス５の最大出力電力リミット値を設定する（ステップＳ２４）ことによって、パワークラス５の端末規格で定められた標準値である、２９ｄＢｍ以下の送信放射電力で基地局との間で通信が行われるようになる。
【００３４】
また、図２(a) の処理で通常モードが選択されていた場合は、モード別パワークラス値としてパワークラス４がセットされ（ステップＳ２２）、この情報が無線送受信部２を介して基地局に送信される（ステップＳ２３）とともに、無線送受信部２においてパワークラス４の最大送信出力電力リミット値を設定する（ステップＳ２４）ことによって、パワークラス４の端末規格で定められた標準値である、３３ｄＢｍ以下の送信放射電力で基地局との間で通信が行われるようになる。
【００３５】
基地局は、移動局（携帯通信端末装置）から通知されたパワークラスの情報によって移動局が出力できる最大送信放射電力値を把握し、これを基地局間で行われるハンドオーバーのタイミングを決定するためのパラメータの一つとして利用する。
最大送信放射電力値は、携帯通信端末装置によって目的物の位置に誘起される高周波電界強度の限度を規定するものであり、ＨＡＣ規格では、聴覚障害者用補聴器の位置における高周波電界が聴覚障害者用補聴器の聴音機能に干渉を生じない限度に定められる。そして携帯通信端末装置の最大送信出力電力リミット値は、規定された最大送信放射電力値に到達する送信出力電力の限界値として設定される。
【００３６】
基地局は移動局との間の距離等に基づく通信状態に応じて、基地局と移動局の送信放射電力を例えば２ｄＢｍステップで順次低減することによって、必要最小限の送信放射電力値で動作するように制御しながら通信を行うが、許容される最大送信放射電力値でも通信困難な状態になったときは、隣接する他の基地局にハンドオーバーすることによって、移動局が通信を維持することができるように制御する。
なお、本発明が適用されるＧＳＭ携帯電話における、基地局に対するパワークラスの通知手順は、ＧＳＭ標準化規格に定められていて周知なので、これに関する詳細な説明は省略する。
【００３７】
図３は、この例の携帯通信端末装置における、通常モードの場合の放射電界分布を示したものであって、最大送信放射電力が大きいため、使用者が装着している聴覚障害者用補聴器１０の部分の高周波電界強度が大きく、そのため、聴覚障害者用補聴器に対する干渉が発生する状態であることが示されている。
【００３８】
また、図４は、この例の携帯通信端末装置における、ＨＡＣモードの場合の放射電界分布を示したものであって、最大送信放射電力が小さいため、使用者が装着している聴覚障害者用補聴器１０の部分の高周波電界強度が小さく、そのため、聴覚障害者用補聴器に対する干渉が発生しない状態であることが示されている。
【００３９】
このように、この例の携帯通信端末装置では、通常モードとＨＡＣモードとの二つのモードに対応して送信時の最大送信放射電力を切り替えることができるので、通常モードでは通常の使用状態の最大送信放射電力（一般には定格最大送信放射電力値）で通信を行うことによって、通信の安定性を確保することができるとともに、ＨＡＣモードでは、十分に低減された最大送信放射電力で通信を行うことによって、聴覚障害者用補聴器に対する放射電界に基づく干渉を確実に防止することができる。
【００４０】
以上、この発明の実施例を図面により詳述してきたが、具体的な構成はこの実施例に限られるものではなく、この発明の要旨を逸脱しない範囲の設計の変更等があってもこの発明に含まれる。例えば、通常モード時とＨＡＣモード時とで携帯通信端末装置のアンテナの指向性を変化させることによって、通常モード時に対するＨＡＣモード時の送信放射電力の低減率を小さくすることができるので、これによって、携帯通信端末装置の構成を簡略化することも可能である。また、携帯通信端末装置の形式，機能は、本発明によって規定される以外は任意に選択することができる。
【産業上の利用可能性】
【００４１】
この発明は、通常モードとＨＡＣモードとを備えた携帯通信端末装置であれば、その形式，機種にかかわらず利用可能なものである。
【図面の簡単な説明】
【００４２】
【図１】本発明の一実施例である携帯通信端末装置の回路構成を示すブロック図である。
【図２】同実施例の携帯通信端末装置の動作を示すフローチャートである。
【図３】同実施例の携帯通信端末装置における、通常モード時の放射電界分布を示す図である。
【図４】同実施例の携帯通信端末装置における、ＨＡＣモード時の放射電界分布を示す図である。
【図５】従来の携帯通信端末装置の構成例を示す図である。
【符号の説明】
【００４３】
１  アンテナ
２  無線送受信部
３  音声・制御データ変復調部
４  音声処理部
５  マイクロフォン
６  スピーカー
７  制御部
８  ユーザーインターフェース部
１０  聴覚障害者用補聴器
【図１】
2008079187.tif 000003
【図２】
2008079187.tif 000004
【図３】
2008079187.tif 000005
【図４】
2008079187.tif 000006
【図５】
2008079187.tif 000007